(57)【要約】【課題】吸着材が収容された吸着材ケースと中空糸膜が収容された中空糸膜ケースを直列に接合した浄水カートリッジを、水漏れを生じる恐れのない構成により、効率的に製造し安価に提供することを目的とする。【解決手段】吸着材が収納され、一端から筒中心線方向に突出する筒状体を有する第１筒状ケースと、  中空糸膜が収納され、一端が前記筒状体に内嵌合される第２筒状ケースと、を備えた浄水カートリッジであって、  前記第２筒状ケースの前記一端には少なくとも２つの係合部が形成され、  前記筒状体には、前記各係合部に対応する被係合部と、各被係合部を挟むように筒状体の端から突出方向に切り欠かれたスリットとが形成され、  前記第２筒状ケースの前記一端が前記筒状体に内嵌合された状態で、前記各係合部が前記各被係合部に係合することで、前記第１筒状ケースと前記第２筒状ケースとが直列に保持された、浄水カートリッジ。【選択図】図１
2020014997.tif 000002
【特許請求の範囲】
【請求項１】
吸着材が収納され、一端から筒中心線方向に突出する筒状体を有する第１筒状ケースと、
中空糸膜が収納され、一端が前記筒状体に内嵌合される第２筒状ケースと、を備えた浄水カートリッジであって、
前記第２筒状ケースの前記一端には少なくとも２つの係合部が形成され、
前記筒状体には、前記各係合部に対応する被係合部と、各被係合部を挟むように筒状体の端から突出方向に切り欠かれたスリットとが形成され、
前記第２筒状ケースの前記一端が前記筒状体に内嵌合された状態で、前記各係合部が前記各被係合部に係合することで、前記第１筒状ケースと前記第２筒状ケースとが直列に保持された、浄水カートリッジ。
【請求項２】
前記係合部が、前記第２筒状ケースの外周面に突設された爪部であり、
前記被係合部が、前記爪部に対応し、前記筒状体の内周面に設けられた凹部または前記筒状体の壁を貫通する開口である、請求項１の浄水カートリッジ。
【請求項３】
前記第２筒状ケースの外周面の前記筒状体のスリットに対応する位置にリブが形成され、
前記第２筒状ケースの前記一端が前記筒状体に内嵌合された状態で、前記リブが前記スリットに挿入されている、請求項１または２の浄水カートリッジ。
【請求項４】
前記第２筒状ケースの前記一端の、前記筒状体に内嵌合される範囲の外周面に、全周に亘るリング状の突起が形成された、請求項１〜３のいずれかの浄水カートリッジ。
【請求項５】
吸着材が収納された第１筒状ケースと、
中空糸膜が収納され、一端から筒中心線方向に突出して前記第１筒状ケースの一端が内嵌合される筒状体を有する第２筒状ケースと、を備えた浄水カートリッジであって、
前記第１筒状ケースの前記一端には少なくとも２つの係合部が形成され、
前記筒状体には、前記各係合部に対応する被係合部と、各被係合部を挟むように筒状体の端から突出方向に切り欠かれたスリットとが形成され、
前記第１筒状ケースの前記一端が前記筒状体に内嵌合された状態で、前記各係合部が前記各被係合部に係合することで、前記第１筒状ケースと前記第２筒状ケースとが直列に保持された、浄水カートリッジ。
【請求項６】
前記係合部が、前記第１筒状ケースの外周面に突設された爪部であり、
前記被係合部が、前記爪部に対応し、前記筒状体の内周面に設けられた凹部または前記筒状体の壁を貫通する開口である、請求項５の浄水カートリッジ。
【請求項７】
前記第１筒状ケースの外周面の前記筒状体のスリットに対応する位置にリブが形成され、
前記第１筒状ケースの前記一端が前記筒状体に内嵌合された状態で、前記リブが前記スリットに挿入されている、請求項５または６の浄水カートリッジ。
【請求項８】
前記第１筒状ケースの前記一端の、前記筒状体に内嵌合される範囲の外周面に、全周に亘るリング状の突起が形成された、請求項５〜７のいずれかの浄水カートリッジ。
【発明の詳細な説明】
【技術分野】
【０００１】
本発明は、吸着材が充填された吸着材ケースと中空糸膜が収納された中空糸膜ケースを備えた浄水カートリッジに関する。
【背景技術】
【０００２】
吸着材と中空糸膜とで水を浄化する浄水カートリッジは、浄水器やアルカリイオン整水器などに用いられている。そして、このような浄水カートリッジは、通常、吸着材が充填された吸着材ケースと中空糸膜が収納された中空糸膜ケースとを接合することによって、一つのカートリッジとして構成されている。
【０００３】
吸着材ケースでは、吸着材の吸着作用によって、塩素等の水の味を損なう成分等を除去する。また、中空糸膜ケースでは、中空糸膜のろ過作用によって、水中のミクロの汚れを除去する。このようにして、吸着材ケースと中空糸膜ケースによって、水を浄化することができる。
【０００４】
これらのカートリッジの接合方法としては、接着剤による接着や溶着が一般的であるが、接着剤によって接着する場合には、接着状態のバラツキにより接着強度がばらつくなどの問題がある。また、溶着の場合、超音波溶着機を用いることが一般的であるが、溶着部の形状に合わせた専用の装置を必要とするため、コストが高くなるなどの問題がある。
【０００５】
そこで、このような問題を解決するために、図１２に図示するように、吸着材ケースと中空糸膜ケースとを接合するための係合部を有する接合部材を柔軟性を有する材料として、係合部を係合させる作業のみにより、吸着材ケースと中空糸膜ケースを容易に接合および密封できる技術が開示されている。（特許文献１）
【先行技術文献】
【特許文献】
【０００６】
【特許文献１】特開２００５−２１８３６号公報
【発明の概要】
【発明が解決しようとする課題】
【０００７】
しかしながら、特許文献１の方法で係合部に用いられる柔軟性を有する材料として例示されているポリウレタン、工業用ゴム材料の場合、中空糸膜が汚れのろ過により目詰まりを生じ、吸着材ケースおよび中空糸膜ケース内の水圧が高くなった際に、係合部が変形を生じ密封性が保てなくなり、水漏れを生じる恐れがある。
【０００８】
また、吸着材ケースと中空糸膜ケースを直列に接合した浄水カートリッジを水平方向に横置きして用いた場合、自重によるたわみにより、係合部が変形を生じ密封性が保てなくなり、水漏れを生じる恐れもある。
【０００９】
本発明は、このような課題を解決するためになされたもので、吸着材が収容された吸着材ケースと中空糸膜が収容された中空糸膜ケースを直列に接合した浄水カートリッジを、水漏れを生じる恐れのない構成により、効率的に製造し安価に提供することを目的とする。
【課題を解決するための手段】
【００１０】
（１）上記課題を解決する本発明の第１の浄水カートリッジは、
吸着材が収納され、一端から筒中心線方向に突出する筒状体を有する第１筒状ケースと、
中空糸膜が収納され、一端が上記筒状体に内嵌合される第２筒状ケースと、を備え、
上記第２筒状ケースの上記一端には少なくとも２つの係合部が形成され、
上記筒状体には、上記各係合部に対応する被係合部と、各被係合部を挟むように筒状体の端から突出方向に切り欠かれたスリットとが形成され、
上記第２筒状ケースの上記一端が上記筒状体に内嵌合された状態で、上記各係合部が上記各被係合部に係合することで、上記第１筒状ケースと上記第２筒状ケースとが直列に保持されている。
【００１１】
本発明の第１の浄水カートリッジは、以下の（２）〜（４）の少なくとも１つの構成を有することが好ましい。
（２）上記係合部が、上記第２筒状ケースの外周面に突設された爪部であり、
上記被係合部が、上記爪部に対応し、上記筒状体の内周面に設けられた凹部または上記筒状体の壁を貫通する開口である。
（３）上記第２筒状ケースの外周面の上記筒状体のスリットに対応する位置にリブが形成され、
上記第２筒状ケースの上記一端が上記筒状体に内嵌合された状態で、上記リブが上記スリットに挿入されている。
（４）上記第２筒状ケースの上記一端の、上記筒状体に内嵌合される範囲の外周面に、全周に亘るリング状の突起が形成されている。
【００１２】
（５）上記課題を解決する本発明の第２の浄水カートリッジは、
吸着材が収納された第１筒状ケースと、
中空糸膜が収納され、一端から筒中心線方向に突出して上記第１筒状ケースの一端が内嵌合される筒状体を有する第２筒状ケースと、を備え、
上記第１筒状ケースの上記一端には少なくとも２つの係合部
が形成され、
上記筒状体には、上記各係合部に対応する被係合部と、各被係合部を挟むように筒状体の端から突出方向に切り欠かれたスリットとが形成され、
上記第１筒状ケースの上記一端が上記筒状体に内嵌合された状態で、上記各係合部が上記各被係合部に係合することで、上記第１筒状ケースと上記第２筒状ケースとが直列に保持されている。
【００１３】
本発明の第２の浄水カートリッジは、以下の（６）〜（８）の少なくとも１つの構成を有することが好ましい。
（６）上記係合部が、上記第１筒状ケースの外周面に突設された爪部であり、
上記被係合部が、上記爪部に対応し、上記筒状体の内周面に設けられた凹部または上記筒状体の壁を貫通する開口である。
（７）上記第１筒状ケースの外周面の上記筒状体のスリットに対応する位置にリブが形成され、
上記第１筒状ケースの上記一端が上記筒状体に内嵌合された状態で、上記リブが上記スリットに挿入されている。
（８）上記第１筒状ケースの上記一端の、上記筒状体に内嵌合される範囲の外周面に、全周に亘るリング状の突起が形成されている。
【発明の効果】
【００１４】
本発明の第１の浄水カートリッジは、上記の構成により以下の優れた効果を奏することができる。すなわち、
上記（１）の構成により、第２筒状ケースの一端には少なくとも２つの係合部が形成され、筒状体には、各係合部に対応する被係合部と、各被係合部を挟むように筒状体の端から突出方向に切り欠かれたスリットとが形成されているため、第２筒状ケースの一端を筒状体に嵌入する際に、筒状体が係合部によって押し広げられ、各係合部が各被係合部に係合することができる。スリットに挟まれた被係合部を有する筒状体は横断面が円弧状であり、筒状体が係合部によって容易に押し広げられるためには、円弧の中心角が９０°以内であることが好ましい。このようにして、第１筒状ケースと第２筒状ケースとが直列に保持されるので、浄水カートリッジが効率的に製造でき、安価に提供することができる。
また、好ましくは上記（２）の構成により、係合部が、第２筒状ケースの外周面に突設された爪部であり、被係合部が、爪部に対応し、筒状体の内周面に設けられた凹部または筒状体の壁を貫通する開口であるため、いったん係合すると外れることがない。
【００１５】
また、好ましくは上記（３）の構成により、第２筒状ケースの外周面の筒状体のスリットに対応する位置にリブが形成されているため、第２筒状ケースの一端を筒状体に嵌入する際に、筒状体のスリットに案内されて嵌入されるので、係合部と被係合部がずれることがなく、組立が容易である。
【００１６】
また、好ましくは上記（４）の構成により、第２筒状ケースの一端の、筒状体に内嵌合される範囲の外周面に、全周に亘るリング状の突起が形成されているため、線接触で強く嵌合することができ、高い水密性が得られる。
【００１７】
本発明の第２の浄水カートリッジは、上記の構成により以下の優れた効果を奏することができる。すなわち、
上記（５）の構成により、第１筒状ケースの一端には少なくとも２つの係合部が形成され、筒状体には、各係合部に対応する被係合部と、各被係合部を挟むように筒状体の端から突出方向に切り欠かれたスリットとが形成されているため、第１筒状ケースの一端を筒状体に嵌入する際に、筒状体が係合部によって押し広げられ、各係合部が各被係合部に係合することができる。スリットに挟まれた被係合部を有する筒状体は横断面が円弧状であり、筒状体が係合部によって容易に押し広げられるためには、円弧の中心角が９０°以内であることが好ましい。このようにして、第１筒状ケースと第２筒状ケースとが直列に保持されるので、浄水カートリッジが効率的に製造でき、安価に提供することができる。
【００１８】
また、好ましくは上記（６）の構成により、係合部が、第１筒状ケースの外周面に突設された爪部であり、被係合部が、爪部に対応し、筒状体の内周面に設けられた凹部または筒状体の壁を貫通する開口であるため、いったん係合すると外れることがない。
【００１９】
また、好ましくは上記（７）の構成により、第１筒状ケースの外周面の筒状体のスリットに対応する位置にリブが形成されているため、第１筒状ケースの一端を筒状体に嵌入する際に、筒状体のスリットに案内されて嵌入されるので、係合部と被係合部がずれることがなく、組立が容易である。
【００２０】
また、好ましくは上記（８）の構成により、第１筒状ケースの一端の、筒状体に内嵌合される範囲の外周面に、全周に亘るリング状の突起が形成されているため、線接触で強く嵌合することができ、高い水密性が得られる。
【図面の簡単な説明】
【００２１】
【図１】本発明の第１の浄水カートリッジの縦断面模式図である。
【図２】本発明の第１の浄水カートリッジの正面図である。
【図３】本発明の第１の浄水カートリッジの第１筒状ケースと第２筒状ケースの係合部分の縦断面模式図である。
【図４】本発明の第１の浄水カートリッジの第１筒状ケースと第２筒状ケースの係合部分を挟むように形成されるスリット部分の縦断面模式図である。
【図５】本発明の第１の浄水カートリッジの横断面模式図である。
【図６】本発明の第１の浄水カートリッジの異なる形態の縦断面模式図である。
【図７】本発明の第２の浄水カートリッジの縦断面模式図である。
【図８】本発明の第２の浄水カートリッジの異なる形態の縦断面模式図である。
【図９】本発明の第２の浄水カートリッジの第１筒状ケースと第２筒状ケースの係合部分の縦断面模式図である。
【図１０】本発明の第２の浄水カートリッジの第１筒状ケースと第２筒状ケースの係合部分を挟むように形成されるスリット部分の縦断面模式図である。
【図１１】本発明の第２の浄水カートリッジの横断面模式図である。
【図１２】特許文献１に開示されている浄水カートリッジの縦断面模式図である。
【発明を実施するための形態】
【００２２】
［第１の浄水カートリッジ］
本発明の第１の浄水カートリッジの実施形態を、図面を参照しながら説明する。
図１、２を参照する。図１は第１の浄水カートリッジの縦断面模式図、図２は正面図である。第１の浄水カートリッジ１は、吸着材９が収納され、一端から筒中心線方向に突出する筒状体４を有する第１筒状ケース２と、中空糸膜１７が収納され、一端が筒状体４に内嵌合される第２筒状ケース１３とを備えている。第２筒状ケース１３の一端には４つの係合部である爪部１９が形成されている。筒状体４には、各係合部に対応する被係合部である貫通孔１０と、各被係合部である貫通孔１０を挟むように筒状体４の端から突出方向に切り欠かれたスリット１１とが形成されている。そして、第２筒状ケース１３の一端が筒状体４に内嵌合された状態で、各係合部が各被係合部に係合することで、第１筒状ケース２と第２筒状ケース１３とが直列に保持されている。
【００２３】
図面を参照しながら、第１の浄水カートリッジ１を構成する各部について、さらに詳細に説明する。
図１を参照する。第１筒状ケースは２、筒体３の一端から筒中心線方向に突出する筒状体４を有しており、他端側の端面が水の流入口となる開口部５を有する蓋体６になっている。蓋体６は第１筒状ケース２の筒体３に溶着、接着、嵌着、螺着などの手段により一体化されている。突出する筒状体４を有する側の端面は水の流出口となる開口部７が形成されている。開口部５、開口部７にはポリエチレンテレフタレートや、ポリプロピレン、ポリエチレンなどの合成繊維からなるメッシュ８が貼り付けられている。メッシュ８は収納された吸着材９を漏らさず、処理されるべき水は通過させるフィルタ機能を有するものであるので、メッシュ８の目開きは、吸着材９の粒径よりも小さいものとなっている。また、通水での圧力損失を低減させるため、メッシュ８の開口率は強度の許す限り大きいものが好ましい。メッシュ８の代わりに合成樹脂の不織布など、フィルタ機能を有する薄いシート状のものでよい。
【００２４】
メッシュ８を開口部５、開口部７に取り付ける方法としては、筒体３及び蓋体６の成形時にメッシュ８と一体成形する方法が強固に取り付けられる点で好ましい。また、接着剤で貼り付けたり、熱融着させることもできる。
【００２５】
図２を参照する。筒状体４には、第２筒状ケース１３の係合部に対応する被係合部となる貫通孔１０が形成され、さらに、各貫通孔１０を挟むように筒状体４の端から突出方向に切り欠かれたスリット１１が形成されている。
【００２６】
再び図１を参照する。第２筒状ケース１３は、筒体１４と浄水出口１５が形成された蓋体１６とで構成され、溶着、接着、嵌着、螺着などの手段により一体化されている。筒体１４には中空糸膜１７が収納され、水の流出口となる側がポリウレタンなどのポッティング剤で封止固定されている。その封止固定した部分が封止部１８である。
【００２７】
図３、４、５を参照する。図３は第１の浄水カートリッジ１の第１筒状ケース２と第２筒状ケース１３の係合部分の縦断面模式図、図４は第１筒状ケース２と第２筒状ケース１３の係合部分を挟むように形成されるスリット部分の縦断面模式図、図５は浄水カートリッジ１の横断面模式図である。筒体１４の外周面には、第１筒状ケース２の被係合部に対応する係合部となる４つの突設された爪部１９が形成され、さらに、第１筒状ケース２の筒状体４のスリット１１に対応する位置にリブ２０が形成されている。筒体１４を第１筒状ケース２の筒状体４に嵌入する際に、スリット１１でリブ２０を案内しながら嵌入することで、爪部１９を筒状体４の貫通孔１０へ導くことができる。スリット１１に挟まれた被係合部である貫通孔１０を有する筒状体４は横断面が円弧状であり、筒体１４を筒状体４に嵌入する際に、筒状体４が係合部である爪部１９によって容易に押し広げられるためには、円弧の中心角が９０°以内であることが好ましい。さらに、第１筒状ケース２の筒状体４に内嵌合される範囲の外周面には、全周に亘るリング状の突起２１が形成されている。なお、本実施態様では筒状体４には貫通孔１０が形成されているが、貫通孔ではなく筒状体４の内周面に設けられた凹部であってもよい。筒状体４の内周面に、係合部である爪部１９の引っ掛かり代に相当する深さがあればよい。
【００２８】
第１筒状ケース２と第２筒状ケース１３の材質は、射出成形で製造された樹脂部材である。材料の樹脂の好適な例として、ポッティング剤との接着性がよいＡＢＳ樹脂やＡＳ樹脂を挙げることができる。射出成形で成形を行うことで、同じ形状の部材を安価に大量生産することが可能になる。また、第１筒状ケース２と第２筒状ケース１３には、周方向に貫通孔１０、スリット１１、爪部１９、リブ２０などの凹凸がいくつも有り、切削などの機械加工が困難であるため、射出成形で成形を行うのがよい。但し、射出成形が可能となるように、金型の分割構造や抜き方向を工夫したり、図示していない抜き勾配を設けたりすることが必要である。
【００２９】
上記の浄水カートリッジ１の構成により、第２筒状ケース１３の４つの係合部（爪部１９）に対し、第１筒状ケース２の４つの被係合部（貫通孔１０）には各被係合部を挟むようにスリット１１が形成され撓みやすくなっているため、第２筒状ケースの一端を第１筒状ケースの筒状体に嵌入する際に、筒状体４が係合部によって押し広げられ、係合部が被係合部に容易に係合することができる。そして、係合された状態で第１筒状ケース２と第２筒状ケース１３とが直列に保持されるので、浄水カートリッジ１が効率的に製造でき、安価に提供することができる。
【００３０】
係合部が第２筒状ケース１３の外周面に突設された爪部１９であり、被係合部が筒状体４の壁を貫通する開口であるであるため、いったん係合すると外れることがない。
【００３１】
第２筒状ケース１３の外周面の筒状体４のスリット１１に対応する位置にリブ２０が形成されているため、第２筒状ケース１３の一端を筒状体４に嵌入する際に、筒状体４のスリット１１に案内されて嵌入されるので、係合部と被係合部がずれることがなく、組立が容易である。
【００３２】
第２筒状ケース１３の一端の筒状体４に内嵌合される範囲の外周面に、全周に亘るリング状の突起２１が形成されているため、線接触で強く嵌合することができ、高い水密性が得られる。
【００３３】
第１筒状ケース２と第２筒状ケース１３が射出成形で製造された樹脂部材であるため、剛性が高く嵌入後の変形が小さいので、高い水密性が保たれ、水漏れを防止することができる。
【００３４】
上記の実施態様では、４つの係合部及び被係合部で第１筒状ケース２と第２筒状ケース１３とが係合されているが、少なくとも２つの係合部及び被係合部が筒状ケースの周方向に均等の間隔で配置されていれば、第１筒状ケース２と第２筒状ケース１３とが係合部分で傾くことなく直列に保持されるので、係合部が外れることがない。
【００３５】
図６を参照する。図６は第１の浄水カートリッジの異なる形態の縦断面模式図である。図６に図示されているように、筒体３の流入口側の開口部５は筒体３に一体に形成されていてもよい。また、筒体３の流出口側には、突出する筒状体４を含む蓋体１２が嵌められていてもよい。蓋体１２は第１筒状ケースの筒体３に溶着、接着、嵌着、螺着などの手段により一体化されている。
【００３６】
［第２の浄水カートリッジ］
引き続き、本発明の第２の浄水カートリッジの実施形態を、図面を参照しながら説明する。
図７を参照する。図７は第２の浄水カートリッジの縦断面模式図である。第２の浄水カートリッジ２２は、中空糸膜１７が収納され、一端から筒中心線方向に突出する筒状体４０を有する第２筒状ケース３５と、吸着材９が収納され、一端が筒状体４０に内嵌合される第１筒状ケース２３とを備えている。第１筒状ケース２３の一端には４つの係合部である爪部３２が形成されている。筒状体４０には、各係合部に対応する被係合部である貫通孔４１と、各被係合部である貫通孔４１を挟むように筒状体４０の端から突出方向に切り欠かれたスリット４２とが形成されている。そして、第１筒状ケース２３の一端が筒状体４０に内嵌合された状態で、各係合部が各被係合部に係合することで、第１筒状ケース２３と第２筒状ケース３５とが直列に保持されている。
【００３７】
この図７の第２の浄水カートリッジ２２と図１の第１の浄水カートリッジ１とを対比すると分かるように、第２の浄水カートリッジ２２は、中空糸膜１７が収納される第２筒状ケース３５に筒体３６の一端から筒中心線方向に突出する筒状体４０を有しており、この筒状体４０に第１ケース２３の一端が内嵌合されている点が第１の浄水カートリッジ１と異なっている。そして、第１筒状ケース２３と第２筒状ケース３５に形成される係合部と被係合部の位置関係も、第１の浄水カートリッジ１とは逆に構成されている。
【００３８】
図面を参照しながら、第２の浄水カートリッジ２２を構成する各部について、さらに詳細に説明するが、第１の浄水カートリッジ２と共通する点については説明を割愛する。
【００３９】
再び図７を参照する。第１筒状ケース２３は、水の流入口となる開口部２４を有する筒体２５と、水の流出口となる開口部２６を有する蓋体２７とで構成されている。蓋体２７は筒体２５に溶着、接着、嵌着、螺着などの手段により一体化されている。開口部２４、２６にはメッシュ８が貼り付けられている。
【００４０】
第２筒状ケース３５は、筒体３６と浄水出口３７が形成された蓋体３８とで構成され、溶着、接着、嵌着、螺着などの手段により一体化されている。筒体３６には中空糸膜１７が収納され、水の流出口となる側がポッティング剤で封止固定されている。その封止固定した部分が封止部３９である。第２筒状ケース３５は、筒体３６の水の流入口側に筒中心線方向に突出する筒状体４０を有している。
【００４１】
図９、１０、１１を参照する。図９は第２の浄水カートリッジ２２の第１筒状ケース２３と第２筒状ケース３５の係合部分の縦断面模式図、図１０は第２の浄水カートリッジ２２の第１筒状ケース２３と第２筒状ケース３５の係合部分を挟むように形成されるスリット部分の縦断面模式図、図１１は第２の浄水カートリッジ２２の横断面模式図である。筒状体４０には、第１筒状ケース２３の係合部に対応する被係合部となる貫通孔４１が形成され、さらに、各貫通孔４１を挟むように筒状体４０の端から突出方向に切り欠かれたスリット４２が形成されている。
【００４２】
筒体２５の外周面には、第２筒状ケース３５の被係合部に対応する係合部となる４つの突設された爪部３２が形成され、さらに、第２筒状ケース３５の筒状体４０のスリット４２に対応する位置にリブ３３が形成されている。筒体２５を第２筒状ケース３５の筒状体４０に嵌入する際に、スリット４２でリブ３３を案内しながら嵌入することで、爪部３２を筒状体４０の貫通孔４１へ導くことができる。スリット４２に挟まれた被係合部である貫通孔４１を有する筒状体４０は横断面が円弧状であり、筒体２５を筒状体４０に嵌入する際に、筒状体４０が係合部である爪部３２によって容易に押し広げられるためには、円弧の中心角が９０°以内であることが好ましい。さらに、第２筒状ケース３５の筒状体４０に内嵌合される範囲の外周面には、全周に亘るリング状の突起３４が形成さている。なお、本実施態様では筒状体４０には貫通孔４１が形成されているが、貫通孔ではなく筒状体４０の内周面に設けられた凹部であってもよい。筒状体４０の内周面に、係合部である爪部３２の引っ掛かり代に相当する深さがあればよい。
【００４３】
上記の浄水カートリッジ２２の構成により、第１の浄水カートリッジ１と同様に、係合部が被係合部に容易に係合することができる。そして、係合された状態で第１筒状ケース２３と第２筒状ケース３５とが直列に保持されるので、浄水カートリッジが効率的に製造でき、安価に提供することができる。また、いったん係合すると外れることがなく、高い水密性が保たれ、水漏れを防止することができる。
【００４４】
図８を参照する。図８は第２の浄水カートリッジの異なる形態の縦断面模式図である。図８に図示されているように、第１筒状ケースの筒体３１の水の流入口側には、開口部２８を有する蓋体２９があり、水の流出側の開口部３０が筒体３１と一体であってもよい。
【産業上の利用可能性】
【００４５】
本発明は据置型浄水器をはじめ、アンダーシンク型浄水器、業務用浄水器などの大型の浄水器に適するが、これらに限定されるものではない。
【符号の説明】
【００４６】
１  第１の浄水カートリッジ
２  第１筒状ケース
３  筒体
４  筒状体
５  開口部
６  蓋体
７  開口部
８  メッシュ
９  吸着材
１０  貫通孔
１１  スリット
１２  蓋体
１３  第２筒状ケース
１４  筒体
１５  浄水出口
１６  蓋体
１７  中空糸膜
１８  封止部
１９  爪部
２０  リブ
２１  突起
２２  第２の浄水カートリッジ
２３  第１筒状ケース
２４  開口部
２５  筒体
２６  開口部
２７  蓋体
２８  開口部
２９  蓋体
３０  開口部
３１  筒体
３２  爪部
３３  リブ
３４  突起
３５  第２筒状ケース  
３６  筒体  
３７  浄水出口  
３８  蓋体  
３９  封止部  
４０  筒状体  
４１  貫通孔  
４２  スリット
【図１】
2020014997.tif 000003
【図２】
2020014997.tif 000004
【図３】
2020014997.tif 000005
【図４】
2020014997.tif 000006
【図５】
2020014997.tif 000007
【図６】
2020014997.tif 000008
【図７】
2020014997.tif 000009
【図８】
2020014997.tif 000010
【図９】
2020014997.tif 000011
【図１０】
2020014997.tif 000012
【図１１】
2020014997.tif 000013
【図１２】
2020014997.tif 000014